(57)【要約】【課題】ツイスト電線の特性インピーダンスの変動を抑制することを目的とする。【解決手段】ツイスト電線１０は、中心線状体１２と、間に中心線状体１２を介在させた状態で、中心線状体１２周りの螺旋に沿って配設された複数の線状導体１４と、中心線状体１２の外周側で、複数の線状導体１４を一括して覆う絶縁被覆１８と、を備える。ツイスト電線は、間に中心線状体を介在させた状態で、中心線状体周りの螺旋に沿って配設された複数の周囲線状体をさらに備えていてもよい。複数の周囲線状体は、中心線状体の周りにおいて、複数の線状導体の各間に分散して配設されているとよい。【選択図】図１
2016004707.tif 000002
【特許請求の範囲】
【請求項１】
中心線状体と、
間に前記中心線状体を介在させた状態で、前記中心線状体周りの螺旋に沿って配設された複数の線状導体と、
前記中心線状体の外周側で、前記複数の線状導体を一括して覆う絶縁被覆と、
を備えるツイスト電線。
【請求項２】
請求項１に記載のツイスト電線であって、
前記中心線状体の横断面形状は、円形状に形成されている、ツイスト電線。
【請求項３】
請求項１又は請求項２記載のツイスト電線であって、
前記中心線状体は絶縁性を有するツイスト電線。
【請求項４】
請求項３記載のツイスト電線であって、
前記中心線状体は、前記絶縁被覆と同じ材料で形成されている、ツイスト電線。
【請求項５】
請求項１〜請求項４のいずれか１項に記載のツイスト電線であって、
間に前記中心線状体を介在させた状態で、前記中心線状体周りの螺旋に沿って配設された複数の周囲線状体をさらに備え、
前記中心線状体の周りにおいて、前記複数の周囲線状体が、前記複数の線状導体の各間に分散して配設されている、ツイスト電線。
【請求項６】
請求項５に記載のツイスト電線であって、
前記複数の周囲線状体は、絶縁性を有する、ツイスト電線。
【請求項７】
請求項６に記載のツイスト電線であって、
前記複数の周囲線状体は、前記絶縁被覆と同じ材料で形成されている、ツイスト電線。
【請求項８】
(a)中心線状体の周りに、複数の線状導体を螺旋状に配設する工程と、
(b)前記工程(a)の後に、前記中心線状体の外周側に流動状の合成樹脂を供給することにより、前記複数の線状導体を一括して覆うように絶縁被覆を押出成形する工程と、
を備えるツイスト電線の製造方法。
【発明の詳細な説明】
【技術分野】
【０００１】
この発明は、撚り合わされた複数の線状導体を含むツイスト電線に関する。
【背景技術】
【０００２】
自動車などの車両に搭載されるワイヤーハーネスが、２本の絶縁電線を撚り合わせたツイスト電線を含むことがある。
【０００３】
ツイスト電線は、２本の絶縁電線相互間でノイズを打ち消し合う効果を示すため、ノイズの影響を受けにくい。そのため、ツイスト電線は、有線通信ネットワーク等の通信媒体として採用されることがある。
【０００４】
特許文献１は、撚り合わされた２本の絶縁電線が絶縁電線の表面に形成された接着層で接着された構造を有するツイスト電線を開示している。
【先行技術文献】
【特許文献】
【０００５】
【特許文献１】特開２０１３−０８４３６５号公報
【発明の概要】
【発明が解決しようとする課題】
【０００６】
上記のようなツイスト電線では、撚り合わされた２本の絶縁電線間の隙間の精度が悪いと、特性インピーダンス等の伝送特性がツイスト電線の延在方向において変化してしまう。
【０００７】
そこで、本発明は、ツイスト電線の特性インピーダンスの変動を抑制することを目的とする。
【課題を解決するための手段】
【０００８】
上記課題を解決するため、第１の態様によると、中心線状体と、間に前記中心線状体を介在させた状態で、前記中心線状体周りの螺旋に沿って配設された複数の線状導体と、前記中心線状体の外周側で、前記複数の線状導体を一括して覆う絶縁被覆と、を備える。
【０００９】
第２の態様は、第１の態様に係るツイスト電線であって、前記中心線状体の横断面形状が、円形状に形成されているものである。
【００１０】
第３の態様は、第１又は第２の態様ツイスト電線であって、前記中心線状体は絶縁性を有するものとされている。
【００１１】
第４の態様は、第３の態様に係るツイスト電線であって、前記中心線状体は、前記絶縁被覆と同じ材料で形成されているものである。
【００１２】
第５の態様は、第１〜第４のいずれか１つの態様に係るツイスト電線であって、間に前記中心線状体を介在させた状態で、前記中心線状体周りの螺旋に沿って配設された複数の周囲線状体をさらに備え、前記中心線状体の周りにおいて、前記複数の周囲線状体が、前記複数の線状導体の各間に分散して配設されているものである。
【００１３】
第６の態様は、第５の態様に係るツイスト電線であって、前記複数の周囲線状体は、絶縁性を有するものとされている。
【００１４】
第７の態様は、第６の態様に係るツイスト電線であって、前記複数の周囲線状体が、前記絶縁被覆と同じ材料で形成されているものである。
【００１５】
第８の態様に係るツイスト電線の製造方法は、(a)中心線状体の周りに、複数の線状導体を螺旋状に配設する工程と、(b)前記工程(a)の後に、前記中心線状体の外周側に流動状の合成樹脂を供給することにより、前記複数の線状導体を一括して覆うように絶縁被覆を押出成形する工程と、を備える。
【発明の効果】
【００１６】
第１の態様に係るツイスト電線によると、複数の線状導体は、間に前記中心線状体を介在させた状態で、前記中心線状体周りの螺旋に沿って配設されている。そして、この状態で、絶縁被覆が、中心線状体の外周側で、複数の線状導体を一括して覆う。このため、複数の線状導体間の隙間の精度が良好となり、ツイスト電線の特性インピーダンスの変動を抑制することができる。
【００１７】
第２の態様によると、前記中心線状体の横断面形状は、円形状に形成されているため、中心線状体周りの螺旋に沿って配設された複数の線状導体の間の隙間をより一定にすることができ、ツイスト電線の特性インピーダンスの変動をより抑制することができる。
【００１８】
第３の態様によると、複数の線状導体の間に絶縁性を有する中心線状体を介在させることができる。
【００１９】
第４の態様によると、前記中心線状体が、前記絶縁被覆と同じ材料で形成されているため、中心線状体と絶縁被覆とが境目無く一体化し易い。このため、絶縁被覆除去時に中心線状体を容易に一括して除去し易くなる。
【００２０】
第５の態様によると、前記中心線状体の周りにおいて、前記複数の周囲線状体が、前記複数の線状導体の各間に分散して配設されている。このため、前記中心線状体の周りにおいて、複数の線状導体間の隙間がより一定に保たれ、これにより、ツイスト電線の特性インピーダンスの変動をより抑制することができる。
【００２１】
第６の態様によると、中心線状体の周りで、複数の線状導体間に絶縁性を有する周囲線状体を介在させることができる。
【００２２】
第７の態様によると、前記周囲線状体が、前記絶縁被覆と同じ材料で形成されているため、周囲線状体と絶縁被覆とが境目無く一体化し易い。このため、絶縁被覆除去時に周囲線状体を容易に一括して除去し易くなる。
【００２３】
第８の態様に係るツイスト電線の製造方法によると、複数の線状導体は、間に前記中心線状体を介在させた状態で、前記中心線状体周りに螺旋状に配設される。そして、この状態で、絶縁被覆が、中心線状体の外周側で、複数の線状導体を一括して覆う。このため、複数の線状導体間の隙間の精度が良好となり、ツイスト電線の特性インピーダンスの変動を抑制することができる。
【図面の簡単な説明】
【００２４】
【図１】実施形態に係るツイスト電線を示す平面図である。
【図２】図１のＩＩ−ＩＩ線断面図である。
【図３】ツイスト電線を製造するための製造装置を示す説明図である。
【図４】同上の製造装置における撚り合せ機構を示す説明図である。
【図５】同上の製造装置における押出被覆機構を示す説明図である。
【図６】変形例に係るツイスト電線を示す断面図である。
【発明を実施するための形態】
【００２５】
以下、実施形態に係るツイスト電線及びツイスト電線の製造方法について説明する。
【００２６】
＜ツイスト電線について＞
図１はツイスト電線１０を示す平面図であり、図２は図１のＩＩ−ＩＩ線断面図である。なお、図１において、ツイスト電線１０の端部では、絶縁被覆１８が除去され、線状導体１４が露出している。
【００２７】
このツイスト電線１０は、例えば、車両等に搭載され、ＣＡＮ（Ｃｏｎｔｒｏｌｌｅｒ  Ａｒｅａ  Ｎｅｔｗｏｒｋ）又はＩＥＥＥ（the Institute of Electrical and Electronics Engineers, inc.）等の通信ネットワークにおける通信媒体として用いられる。
【００２８】
ツイスト電線１０は、中心線状体１２と、複数の線状導体１４と、絶縁被覆１８とを備える。
【００２９】
中心線状体１２は、線状に形成された部分である。中心線状体１２の横断面形状（中心線状体１２の延在方向に対して直交する方向における断面形状）は、円形状であることが好ましい。中心線状体１２の外径は、例えば、０．７ｍｍである。もっとも、中心線状体は、偏平な帯状であってもよいし、横断面方形状等の線状をなしていてもよい。
【００３０】
中心線状体１２は、絶縁性を有する部材であることが好ましい。ここでは、中心線状体１２は、絶縁被覆１８と同じ絶縁樹脂材料で形成されている。
【００３１】
もっとも、中心線状体１２が絶縁性を有する部材である場合には、中心線状体１２の全体が絶縁性を有する場合だけでなく、その外周囲が絶縁性を有する場合を含む。後者の例としては、金属芯線周りに樹脂等の絶縁層が被覆されている場合が考えられる。
【００３２】
例えば、複数の線状導体のそれぞれの外周囲に絶縁層が形成されている場合等には、中心線状体として、金属線等の導電性線状体を用いてもよい。
【００３３】
複数の線状導体１４は、導電性を有する金属（銅、銅合金（特に軟銅）、アルミニウム、アルミニウム合金等）の線材である。線状導体１４は、複数の細い金属の線材が撚り合わされた撚り線であってもよいし、このような撚り線が圧縮されることにより得られる圧縮導体であってもよいし、１本の金属の線材であってもよい。線状導体１４の断面積は、例えば、０．３５ｍｍ２であり、また、線状導体１４の外径は、例えば、０．７ｍｍである。
【００３４】
ここでは、ツイスト電線１０が、２つの線状導体１４を備える例で説明する。２つの線状導体１４は、間に中心線状体１２を介在させた状態で、当該中心線状体１２周りの螺旋に沿って配設されている。螺旋を描くピッチ（線状導体１４が中心線状体１２を１周する際に中心線状体１２の延在方向に沿って進む距離）は、例えば、２５ｍｍである。
【００３５】
各線状導体１４は、中心線状体１２の外周囲に接した状態で、当該中心線状体１２の外周囲で螺旋を描いている。また、中心線状体１２の延在方向において、一方の線状導体１４が描く螺旋に対して、他方の線状導体１４が描く螺旋は、当該螺旋の半周期分ずれている。
【００３６】
このため、中心線状体１２の延在方向に対して直交する任意の断面で切断すると、一対の線状導体１４の間に中心線状体１２が介在している。従って、一対の線状導体１４の間には、中心線状体１２の直径とほぼ同じ隙間が形成されており、中心線状体１２の延在方向において、一対の線状導体１４の隙間が安定している。
【００３７】
一対の線状導体１４は、中心線状体１２の周りで螺旋を描いているため、一対の線状導体１４のそれぞれに生じるノイズが相互に打ち消される。
【００３８】
絶縁体である絶縁被覆１８は、中心線状体１２の外周側で、複数の線状導体１４を一括して覆っている。ここでは、絶縁被覆１８は、複数の線状導体１４の外周側に設けられて、本ツイスト電線１０の最外周層を形成している。また、絶縁被覆１８は、中心線状体１２の周りで、複数の線状導体１４の間を埋めている。これにより、一対の線状導体１４が、中心線状体１２周りで一定の螺旋形態を描く状態に維持されている。
【００３９】
この絶縁被覆１８は、例えば、線状導体１４の外周側で、０．８５ｍｍの厚みの被覆層を形成し、ツイスト電線１０全体としてみると外径が３．８ｍｍとなるように、複数の線状導体１４を一括して覆う。
【００４０】
絶縁被覆１８の材料は、車両搭載時の温度環境又は耐薬品性などの要求仕様に応じて選定される。例えば、絶縁被覆１８の材料としては、ポリプロピレン、ポリエチレン、塩化ビニル又はポリアミド系ナイロンなどを主成分とする合成樹脂等が考えられる。
【００４１】
このように構成されたツイスト電線１０によると、複数の線状導体１４は、間に中心線状体１２を介在させた状態で、当該中心線状体１２周りの螺旋に沿って配設されている。そして、この状態で、絶縁被覆１８が、中心線状体１２の外周側で、複数の線状導体１４を一括して覆っている。このため、複数の線状導体１４の隙間は、中心線状体１２の外径に応じて可及的に一定に保たれ、複数の線状導体１４間の隙間の精度が良好となる。このため、ツイスト電線１０の特性インピーダンスの変動を抑制することができる。例えば、ツイスト電線１０単独では、特性インピーダンスを、１００±３Ωにできることが期待でき、また、本ツイスト電線１０を他の電線と束ねたワイヤーハーネスの形態とした場合でも、特性インピーダンスを１００±５Ωにできることが期待できる。
【００４２】
また、中心線状体１２の横断面形状は円形状に形成されているため、中心線状体１２周りの螺旋に沿って配設された複数の線状導体１４間の隙間をより確実に一定にすることができる。特に、中心線状体１２が捻られた場合においても、中心線状体１２の外径は、その延在方向に沿って変化し難いため、複数の線状導体１４間の隙間をより確実に一定にすることができる。これにより、複数の線状導体１４間の隙間の精度が良好となり、ツイスト電線１０の特性インピーダンスの変動をより確実に抑制することができる。
【００４３】
また、複数の線状導体１４間に、絶縁性を有する中心線状体１２が介在しているため、複数の線状導体１４をより確実に絶縁状態に保つことができる。特に、周囲に絶縁層が形成されていない線状導体１４を、中心線状体１２の周りに直接的に螺旋状に配設する構成において有効である。
【００４４】
また、中心線状体１２が、絶縁被覆１８と同じ材料で形成されているため、中心線状体１２と絶縁被覆１８とはそれらの間に境目を形成すること無く一体化し易い。このため、絶縁被覆１８の端部でその外周に切れ目を形成して当該端部を引っ張って除去する皮剥処理を行うと、中心線状体１２は絶縁被覆１８と共に容易に除去される。これにより、ツイスト電線１０の端部に、線状導体１４の端部を容易に露出させることができる。
【００４５】
また、中心線状体１２と絶縁被覆１８とが除去される際に、複数の線状導体１４は、直線的に引っ張られるため、互いに平行に近い直線状態となってツイスト電線１０の端部に露出する。この場合、複数の線状導体１４のそれぞれを、容易に端子等に圧着或いは溶接することが可能となる。
【００４６】
また、引用文献１のように、複数の絶縁電線のそれぞれの表面に接着層を付与した上で撚るといった煩雑な工程を要しないため、簡易にツイスト電線１０を製造することが可能となる。
【００４７】
＜ツイスト電線の製造方法について＞
上記ツイスト電線１０の製造方法について説明する。ツイスト電線１０の製造方法は、中心線状体１２の周りに複数の線状導体１４を螺旋状に配設する工程(a)と、この工程(a)の後に、中心線状体１２の外周側に流動状の合成樹脂を供給することにより、複数の線状導体１４を一括して覆うように絶縁被覆１８を押出成形する工程(b)とを備える。
【００４８】
このようなツイスト電線１０の製造方法は、次に説明する製造装置１００を用いて行うことができる。図３は本ツイスト電線１０を製造するための製造装置１００を示す説明図であり、図４は同製造装置１００における撚り合せ機構１２０を示す説明図であり、図５は同製造装置１００における押出被覆機構１３０を示す説明図である。
【００４９】
この製造装置１００は、中心線状体供給部１０２と、線状導体供給部１１０と、撚り合せ機構１２０と、押出被覆機構１３０と、巻取部１６０とを備えており、これらの各部がツイスト電線１０の製造ラインＬに沿って上流側から下流側に向けて配設されている。
【００５０】
中心線状体供給部１０２は、リール１０３に中心線状体１２が巻回収容された構成とされている。そして、このリール１０３を回転可能に支持した状態で、中心線状体１２を引っ張ることで、中心線状体供給部１０２から中心線状体１２が連続的に供給される。
【００５１】
線状導体供給部１１０は、複数の線状導体１４に対応する複数のリール１１１を備えており、複数のリール１１１のそれぞれに線状導体１４が巻回収容されている。
【００５２】
複数のリール１１１は、回転支持部１１２によって、中心線状体１２の供給ライン周りに間隔をあけて支持されている。ここでは、２つのリール１１１が、中心線状体１２の供給ラインを挟んで対向する位置で、回転支持部１１２によって支持されている。そして、回転支持部１１２が回転することによって、複数のリール１１１が中心線状体１２の供給ライン周りに回転される。また、個々のリール１１１は、線状導体１４を引出し可能とする方向に回転可能に支持されている。
【００５３】
従って、複数のリール１１１は、中心線状体１２の供給ライン周りに回転しつつ、線状導体１４を連続的に供給することができる。
【００５４】
撚り合せ機構１２０は、中心線状体１２の周りに複数の線状導体１４を螺旋状に配設するための機構である。
【００５５】
ここでは、撚り合せ機構１２０は、回転板１２２と、集合部材１２４とを備える。
【００５６】
回転板１２２は、板状（ここでは、円板状）に形成されている。この回転板１２２は、中心線状体１２の供給ラインと一致する回転軸周りに回転可能に支持されている。回転板１２２には、中心線状体１２の供給ラインと一致する第１ガイド孔１２２ａと、その第１ガイド孔１２２ａ周りに形成された複数の第２ガイド孔１２２ｂとが形成されている。
【００５７】
第１ガイド孔１２２ａは、中心線状体１２を挿通可能な孔径に形成されている。複数の第２ガイド孔１２２ｂは、複数の線状導体１４に応じた数設けられ、上記第１ガイド孔１２２ａ周りに均等間隔で設けられている。ここでは、２つの第２ガイド孔１２２ｂが、第１ガイド孔１２２ａを挟んで対向する位置に形成されている。各第２ガイド孔１２２ｂは、線状導体１４を挿通可能な孔径に形成されている。
【００５８】
集合部材１２４には、中心線状体１２と複数の線状導体１４とを挿通可能な集合ガイド孔１２５が形成されている。集合ガイド孔１２５の内径は、例えば、中心線状体１２の外径に、線状導体１４の外径２つ分を加算した寸法又はこれよりも大きい（僅かに大きい）寸法に設定されている。これにより、中心線状体１２の周りに複数の線状導体１４が螺旋状に配設された撚り合せ体が、当該集合ガイド孔１２５で集合されつつ当該集合ガイド孔１２５を円滑に通っていくことができる。
【００５９】
なお、集合部材１２４が省略され、上記回転板１２２を通った中心線状体１２及び複数の線状導体１４が、直接押出被覆機構１３０に導かれてもよい。
【００６０】
上記回転支持部１１２及び回転板１２２は、回転駆動機構１１２ｄ、１２２ｄによって同期して回転駆動される。回転駆動機構１１２ｄ、１２２ｄとしては、例えば、モータと、当該モータの回転駆動力を回転支持部１１２及び回転板１２２に伝達するギヤ等の回転伝達機構等によって構成される。
【００６１】
そして、回転支持部１１２によって支持された複数のリール１１１及び回転板１２２が同期して回転することによって、複数のリール１１１より供給されて回転板１２２の第２ガイド孔１２２ｂを通った複数の線状導体１４が、回転板１２２の下流側であって集合部材１２４に導かれる部分で、中心線状体１２周りに螺旋状に撚り合わされることになる。
【００６２】
このように撚り合わされた撚り合せ体が、押出被覆機構１３０に導かれる。
【００６３】
押出被覆機構１３０は、樹脂供給部１３２と、押出ヘッド１４０とを備える。
【００６４】
樹脂供給部１３２は、押出ヘッド１４０に対して流動状態となった樹脂材料を供給する部分である。この樹脂供給部１３２は、絶縁被覆１８を形成するための樹脂材料を加熱して溶融させて流動状態とし、この流動状態となった樹脂材料をスクリューにより押出ヘッドに向けて送る構成等を採用することができる。ここでは、樹脂供給部１３２は、押出ヘッド１４０に対して上下２箇所から流動状態となった樹脂材料を供給する。
【００６５】
押出ヘッド１４０は、内側ダイ１４２と、外側ダイ１４４とを備える。
【００６６】
内側ダイ１４２は、上記撚り合せ体を通過させてガイド可能に構成されている。すなわち、内側ダイ１４２には、撚り合せ体を通過可能なガイド孔１４３が形成されている。
【００６７】
内側ダイ１４２の先端側部分は、先端部に向けて徐々に小径となる円錐状に形成されている。上記ガイド孔１４３の中心軸は、内側ダイ１４２の円錐状部分の中心と一致している。従って、ガイド孔１４３は、内側ダイ１４２の先端側部分の頂点に対応する位置で開口している。
【００６８】
外側ダイ１４４内には、円錐状の空間が形成されている。この外側ダイ１４４の円錐状の空間を囲む周面と、内側ダイ１４２の円錐状の外周面との間には、円錐周面状の流路１４６が形成されている。
【００６９】
上記流路１４６のうち基端部には、樹脂供給部１３２からの樹脂材料を当該流路１４６に向けて導くための導入路１４７が形成されている。
【００７０】
また、外側ダイ１４４の先端部であって、ガイド孔１４３の延長上には、吐出口１４８が形成されている。吐出口１４８を、ガイド孔１４３の軸方向に沿って外側から視ると、円形状を呈している。この外側ダイ１４４の外形状が、絶縁被覆１８の外形状を規定する。
【００７１】
そして、上記撚り合せ体が、ガイド孔１４３から吐出口１４８を通って引出される。この際、流路１４６を通って供給された流動状態の樹脂が撚り合せ体の外周に押出被覆される。そして、流動状態の樹脂が、吐出口１４８によって所定（ここでは、円形状）の断面形状をなすように形作られつつ、吐出口１４８から外部に引出される。
【００７２】
撚り合せ体周りに押出被覆された樹脂は、その下流側で冷却槽等によって冷却された後、巻取部１６０によって巻取られて収容される。
【００７３】
この製造装置１００を用いたツイスト電線１０の製造方法について説明する。
【００７４】
まず、中心線状体供給部１０２のリール１０３から引出された中心線状体１２を、回転板１２２の第１ガイド孔１２２ａ、集合部材１２４の集合ガイド孔１２５、内側ダイ１４２のガイド孔１４３、外側ダイ１４４の吐出口１４８に通して、外方に引出す。また、線状導体供給部１１０の複数のリール１１１のそれぞれから引出された複数の線状導体１４を、回転板１２２の複数の第２ガイド孔１２２ｂにそれぞれ通し、さらに、集合部材１２４の集合ガイド孔１２５、内側ダイ１４２のガイド孔１４３、外側ダイ１４４の吐出口１４８に通して、外方に引出す。そして、中心線状体１２及び複数の線状導体１４の各開始端部を巻取部１６０に巻付ける。
【００７５】
この後、巻取部１６０によって中心線状体１２及び複数の線状導体１４を巻取って、中心線状体１２及び複数の線状導体１４を製造ラインＬに沿って送りつつ、線状導体供給部１１０の複数のリール１１１及び回転板１２２を回転させると共に、樹脂供給部１３２から押出ヘッド１４０に流動状態の樹脂を供給する。
【００７６】
すると、撚り合せ機構１２０では、複数のリール１１１より供給されて回転板１２２の第２ガイド孔１２２ｂを通った複数の線状導体１４が、回転板１２２の下流側であって集合部材１２４に導かれる部分で、中心線状体１２周りに螺旋状に撚り合わされることになる。このように撚り合わされた撚り合せ体が、押出被覆機構１３０に導かれる。
【００７７】
押出被覆機構１３０では、撚り合せ体がガイド孔１４３を通過した後吐出口１４８に至る手前で、流路１４６を通って供給された樹脂が撚り合せ体の外周に供給される。撚り合せ体の外周に供給された樹脂は、撚り合せ体と共に吐出口１４８を通って外部に押出される。流動状態の樹脂が、吐出口１４８を通過する際、撚り合せ体の外周の樹脂は、当該吐出口１４８に応じた形状をなすように形作られる。これにより、撚り合せ体周りに押出被覆された樹脂が、冷却された後、巻取部１６０によって巻取られる。これにより、ツイスト電線１０が製造される。
【００７８】
このように、複数の線状導体１４は、中心線状体１２の周りで螺旋状を描くように配設されるため、当該螺旋状を描く状態をある程度安定して維持できる。このため、押出被覆機構１３０自体に、複数の線状導体を螺旋状に撚り合わせる構成を組込まなくてもよい。これにより、押出被覆機構１３０の構成の簡易化が可能となる。
【００７９】
もっとも、押出被覆機構自体に複数の線状導体を螺旋状に撚り合わせる構成を組込んでもよい。例えば、内側ダイに、中心線状体をガイドする孔及び複数の線状導体をガイドする孔を別々の孔として形成し、当該内側ダイを回転させて、中心線状体１２周りに複数の線状導体１４を螺旋状に撚り合わせつつ、上記押出被覆を行うようにしてもよい。
【００８０】
＜変形例＞
図６は、変形例に係るツイスト電線１０Ｂを示す断面図である。このツイスト電線１０Ｂは、次の点で、上記ツイスト電線１０と異なっている。
【００８１】
すなわち、このツイスト電線１０Ｂは、複数の周囲線状体１６Ｂを備えている。複数の周囲線状体１６Ｂは、線状導体１４と同様に、間に中心線状体１２を介在させた状態で、中心線状体１２の螺旋に沿って配設されている。また、中心線状体１２の周りにおいて、複数の周囲線状体１６Ｂは、複数の線状導体１４の各間に分散して配設されている。つまり、複数の周囲線状体１６Ｂは、中心線状体１２の周りで、複数の線状導体１４の間に分散して配設され、もって、中心線状体１２の周りで、複数の線状導体１４の間を仕切る役割を果している。
【００８２】
より具体的には、周囲線状体１６Ｂは、線状に形成された部分である。周囲線状体１６Ｂの横断面形状（周囲線状体１６Ｂの延在方向に対して直交する方向における断面形状）は、円形状であることが好ましい。周囲線状体１６Ｂの外径は、例えば、０．７ｍｍである。もっとも、周囲線状体１６Ｂは、偏平な帯状であってもよいし、横断面方形状等の線状をなしていてもよい。
【００８３】
周囲線状体１６Ｂは、絶縁性を有する部材であることが好ましい。ここでは、周囲線状体１６Ｂは、絶縁被覆１８Ｂと同じ絶縁樹脂材料で形成されている。
【００８４】
もっとも、周囲線状体１６Ｂが絶縁性を有する部材である場合には、周囲線状体１６Ｂの全体が絶縁性を有する場合だけでなく、その外周囲が絶縁性を有する場合を含む。後者の例としては、金属芯線周りに樹脂等の絶縁層が被覆されている場合が考えられる。
【００８５】
なお、複数の線状導体のそれぞれの外周囲に絶縁層が形成されている場合等には、周囲線状体１６Ｂとして、金属線等の導電性線状体を用いてもよい。
【００８６】
複数の線状導体１４と、複数の周囲線状体１６Ｂは、中心線状体１２の周囲で、相互に接した状態で配設されていることが好ましい。例えば、中心線状体１２と、複数の線状導体１４と、複数の周囲線状体１６Ｂとが、同じ外径の円形断面形状である場合には、１本の中心線状体１２の外周囲に２つの線状導体１４と４つの周囲線状体１６Ｂとが配設されていることが好ましい。これにより、ツイスト電線１０Ｂをその横断面で観察した場合において、１本の中心線状体１２の外周囲に２つの線状導体１４と４つの周囲線状体１６Ｂとが細密充填構造で配設されることになり、１本の中心線状体１２の外周囲で２つの線状導体１４と４つの周囲線状体１６Ｂとが安定した形態となる。
【００８７】
ここでも、１本の中心線状体１２を挟むように２つの線状導体１４が配設されている。そして、４つの周囲線状体１６Ｂが２つに分散され、中心線状体１２の外周において各線状導体１４の間に２つずつ周囲線状体１６Ｂが配設されている。
【００８８】
このツイスト電線１０Ｂでは、絶縁被覆１８Ｂは、２つの線状導体１４及び４つの周囲線状体１６Ｂをその外周側から一括して覆うように形成されている。
【００８９】
この変形例に係るツイスト電線１０Ｂによると、中心線状体１２の周りにおいて、複数の線状導体１４の各間に周囲線状体１６Ｂが介在しているため、中心線状体１２の周りにおいても、線状導体１４間の隙間がより一定に保たれる。これにより、ツイスト電線１０Ｂの特性インピーダンスの変動をより有効に抑制することができる。
【００９０】
また、複数の周囲線状体１６Ｂが絶縁性を有するため、中心線状体１２の周りにおいても、線状導体１４同士をより確実に絶縁状態に保つことができる。特に、周囲に絶縁層が形成されていない線状導体１４を、中心線状体１２の周りに直接的に螺旋状に配設する構成において有効である。
【００９１】
さらに、周囲線状体１６Ｂが絶縁被覆１８Ｂと同材料で形成されているため、その外周囲に絶縁被覆１８Ｂを押出被覆すると、絶縁被覆１８Ｂと周囲線状体１６Ｂとがそれらの間に境目を作ること無く一体化され易い。このため、上記実施形態と同様に、絶縁被覆１８Ｂを除去すると、絶縁被覆１８Ｂと共に周囲線状体１６Ｂも一緒に除去されや易い。このため、ツイスト電線１０Ｂの端部に線状導体１４を露出させる端部処理を容易に行える。
【００９２】
なお、上記実施形態及び変形例で説明した各構成は、相互に矛盾しない限り適宜組合わせることができる。
【００９３】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００９４】
１０，１０Ｂ  ツイスト電線
１２  中心線状体
１４  線状導体
１６Ｂ  周囲線状体
１８，１８Ｂ  絶縁被覆
【図１】
2016004707.tif 000003
【図２】
2016004707.tif 000004
【図３】
2016004707.tif 000005
【図４】
2016004707.tif 000006
【図５】
2016004707.tif 000007
【図６】
2016004707.tif 000008